【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
統合された呼制御、及びダイアログアプリケーションを生成するための方法であって、
グラフィカルユーザーインターフェースを提供すること、
ユーザに、前記グラフィカルユーザーインターフェースを使用して、複数のエレメントから１つのエレメントを選択させ、前記複数のエレメントが少なくとも１つの呼制御エレメント、及び少なくとも１つのダイアログエレメントを含み、前記少なくとも１つの呼制御エレメントが前記少なくとも１つのダイアログエレメントに関連する少なくとも１つの発呼イベントの制御を定めること、並びに
テレフォニーアプリケーションのためのモジュールを前記グラフィカルユーザーインターフェースを使用して生成することの諸ステップを含むことを特徴とする方法。
【請求項２】
情報担体中で実体的に実施されるコンピュータプログラムプロダクトであって、データ処理装置に以下のこと、即ち、
グラフィカルユーザーインターフェースを提供すること、
ユーザに、前記グラフィカルユーザーインターフェースを使用して、複数のエレメントから１つのエレメントを選択させ、前記複数のエレメントが少なくとも１つの呼制御エレメント、及び少なくとも１つのダイアログエレメントを含み、前記少なくとも１つの呼制御エレメントが前記少なくとも１つのダイアログエレメントに関連する少なくとも１つの発呼イベントの制御を定めること、並びに
テレフォニーアプリケーションのためのモジュールを前記グラフィカルユーザーインターフェースを使用して生成することを可能にするように動作可能な命令を前記コンピュータプログラムプロダクトが含むことを特徴とする、コンピュータプログラムプロダクト。
【請求項３】
サービス作成ツールを含むシステムであって、以下のこと、即ち、
グラフィカルユーザーインターフェースを提供すること、
ユーザに、前記グラフィカルユーザーインターフェースを使用して、複数のエレメントから１つのエレメントを選択させ、前記複数のエレメントが少なくとも１つの呼制御エレメント、及び少なくとも１つのダイアログエレメントを含み、前記少なくとも１つの呼制御エレメントが前記少なくとも１つのダイアログエレメントに関連する少なくとも１つの発呼イベントの制御を定めること、並びに
テレフォニーアプリケーションのためのモジュールを前記グラフィカルユーザーインターフェースを使用して生成することに適合されることを特徴とするシステム。
【請求項４】
テレフォニーアプリケーションのためのモジュールを生成することであって、前記モジュールが複数のエレメントを含み、前記複数のエレメントの少なくとも第１のエレメントが呼制御エレメントであり、前記複数のエレメントの少なくとも第２のエレメントがダイアログエレメントであり、前記呼制御エレメントが前記ダイアログエレメントに関連する少なくとも１つの発呼イベントの制御を定め、
前記モジュールを中間設計ファイルに記憶することであって、前記中間設計ファイルは１又は複数の中間言語に基づき、及び
変換規則を使用して、前記中間設計ファイルの少なくとも一部を１又は複数の目的設計ファイルに変換することであって、前記１又は複数の目的設計ファイルが１又は複数の目的言語に基づき、前記１又は複数の目的言語が前記１又は複数の中間言語とは異なる諸ステップを含むことを特徴とする方法。
【請求項５】
情報担体中で実体的に実施されるコンピュータプログラムプロダクトであって、データ処理装置に以下のこと、即ち、
テレフォニーアプリケーションのためのモジュールを生成することであって、前記モジュールが複数のエレメントを含み、前記複数のエレメントの少なくとも第１のエレメントが呼制御エレメントであり、前記複数のエレメントの少なくとも第２のエレメントがダイアログエレメントであり、前記呼制御エレメントが前記ダイアログエレメントに関連する少なくとも１つの発呼イベントの制御を定め、
前記モジュールを中間設計ファイルに記憶することであって、前記中間設計ファイルは１又は複数の中間言語に基づき、及び
変換規則を使用して、前記中間設計ファイルの少なくとも一部を１又は複数の目的設計ファイルに変換することであって、前記１又は複数の目的設計ファイルが１又は複数の目的言語に基づき、前記１又は複数の目的言語が前記１又は複数の中間言語とは異なることを可能にするように動作可能な命令を前記コンピュータプログラムプロダクトが含むことを特徴とする、コンピュータプログラムプロダクト。
【請求項６】
サービス作成ツールを含むシステムであって、以下のこと、即ち、
テレフォニーアプリケーションのためのモジュールを生成することであって、前記モジュールが複数のエレメントを含み、前記複数のエレメントの少なくとも第１のエレメントが呼制御エレメントであり、前記複数のエレメントの少なくとも第２のエレメントがダイアログエレメントであり、前記呼制御エレメントが前記ダイアログエレメントに関連する少なくとも１つの発呼イベントの制御を定め、
前記モジュールを中間設計ファイルに記憶することであって、前記中間設計ファイルは１又は複数の中間言語に基づき、及び
変換規則を使用して、前記中間設計ファイルの少なくとも一部を１又は複数の目的設計ファイルに変換することであって、前記１又は複数の目的設計ファイルが１又は複数の目的言語に基づき、前記１又は複数の目的言語が前記１又は複数の中間言語とは異なることに適合されることを特徴とするシステム。
【請求項７】
セッション開始プロトコルに基づいてメッセージを相互作用させるための方法であって、
１又は複数の命令の第１の組を規則に関連付けること、
第１のフォーマットに基づくセッション開始プロトコルメッセージを受信すること、
前記規則を使用して、１又は複数の命令の前記第１の組が前記セッション開始プロトコルメッセージに適用可能であるか否かを決定すること、及び
１又は複数の命令の前記第１の組が前記セッション開始プロトコルメッセージに適用可能であるとき、命令の前記第１の組を使用して、前記セッション開始プロトコルメッセージを目的のセッション開始プロトコルメッセージに変換し、前記目的のセッション開始プロトコルメッセージは、前記第１フォーマットとは異なる第２フォーマットに基づく諸ステップを含むことを特徴とする方法。
【請求項８】
情報担体中で実体的に実施されるコンピュータプログラムプロダクトであって、データ処理装置に以下のこと、即ち、
１又は複数の命令の第１の組を規則に関連付けること、
第１のフォーマットに基づくセッション開始プロトコルメッセージを受信すること、
前記規則を使用して、１又は複数の命令の前記第１の組が前記セッション開始プロトコルメッセージに適用可能であるか否かを決定すること、及び
１又は複数の命令の前記第１の組が前記セッション開始プロトコルメッセージに適用可能であるとき、命令の前記第１の組を使用して、前記セッション開始プロトコルメッセージを目的のセッション開始プロトコルメッセージに変換し、前記目的のセッション開始プロトコルメッセージは、前記第１フォーマットとは異なる第２フォーマットに基づくことを可能にするように動作可能な命令を前記コンピュータプログラムプロダクトが含むことを特徴とする、コンピュータプログラムプロダクト。
【請求項９】
セッション開始プロトコルに基づいてメッセージを相互作用させるためのシステムであって、以下のこと、即ち、
１又は複数の命令の第１の組を規則に関連付けること、
第１のフォーマットに基づくセッション開始プロトコルメッセージを受信すること、
前記規則を使用して、１又は複数の命令の前記第１の組が前記セッション開始プロトコルメッセージに適用可能であるか否かを決定すること、及び
１又は複数の命令の前記第１の組が前記セッション開始プロトコルメッセージに適用可能であるとき、命令の前記第１の組を使用して、前記セッション開始プロトコルメッセージを目的のセッション開始プロトコルメッセージに変換し、前記目的のセッション開始プロトコルメッセージは、前記第１フォーマットとは異なる第２フォーマットに基づくことに適合されるネットワーク装置を含むことを特徴とするシステム。